(57)【特許請求の範囲】
【請求項１】
外壁コンクリート貫通孔を形成し、複数本の外部給湯設備の配管と屋内配管とを連結する壁貫通給湯配管用スリーブユニットであって、内周に仕切フランジが形成された本体筒部と、該本体筒部に収容され、本体筒部から所定量だけ伸長させ、スリーブユニット長さを調整可能な延長内筒と、前記本体筒部内の仕切フランジに周縁が固定保持され、板面に連通孔が所定配列された仕切板と、該仕切板を挟持するように固定保持され、前記外壁コンクリートの内外から導かれた配管を接続させるコネクタ部材とからなることを特徴とする壁貫通給湯配管用スリーブユニット。
【請求項２】
前記本体筒部は、円筒管形状をなし、該本体筒部内の所定範囲に前記延長内筒が内接するように収容され、該延長内筒を前記本体筒部から伸長させ、スリーブユニット全長が前記外壁コンクリート厚さに調整されることを特徴とする請求項１に記載の壁貫通給湯配管用スリーブユニット。
【請求項３】
前記本体筒部は、角形管形状をなし、該本体筒部内の所定範囲に前記延長内筒が内接するように収容され、該延長内筒を前記本体筒部から伸長させ、スリーブユニット全長が前記外壁コンクリート厚さに調整されることを特徴とする請求項１に記載の壁貫通給湯配管用スリーブユニット。
【請求項４】
前記仕切板は、前記仕切フランジに防水部材を介して水密保持させて固定されたことを特徴とする請求項１に記載の壁貫通給湯配管用スリーブユニット。
【請求項５】
前記本体筒部の延長方向のほぼ中央位置の外周面に沿って水切りフランジが設けられたことを特徴とする請求項１に記載の壁貫通給湯配管用スリーブユニット。
【発明の詳細な説明】
【技術分野】
【０００１】
本発明は壁貫通給湯配管用スリーブユニットに係り、特にマンション等のベランダに設置された給湯器と室内側とを連絡するために外壁を貫通する複数の配管を一個所の貫通部ユニットで接続できるようにした壁貫通給湯配管用スリーブユニットに関する。
【背景技術】
【０００２】
近年、マンション等の集合住宅では、風呂、台所、洗面所に温水を供給する給湯器がベランダに設置されるケースも多く、その場合には、屋内に配管されたガス管、水道管および給湯管等の複数本の管類を、外壁コンクリート面等に取り付けられた給湯器に接続するために、外壁コンクリートを貫通させる必要がある。その際、一般にはコンクリートの外壁厚に相当する長さのボイド管や塩化ビニル管からなる貫通部用のスリーブ管等の箱抜き部材を壁配筋の一部に結束線で結束して保持し、その外側に合板型枠等を組み立てて外壁コンクリート打設を行っている。
【０００３】
このとき、上述した箱抜き部材が型枠内に打設されたコンクリートの圧力や打設時の衝撃により、移動してしまい、箱抜き部材の位置ずれが生じたり、ひどい場合には箱抜き部材内にコンクリートが詰まり、所定の貫通孔を形成できないこともある。
【０００４】
また、各配管の貫通孔が所定位置に形成されていないと、後施工により外壁に貫通孔を穿孔し、その貫通孔に対する補強対策、各配管とスリーブ管との間にシール材を施す漏水対策等も検討しなければならない。
【０００５】
このような問題を解決するために、あらかじめ複数種の直径を有する配管、配線を貫通させることができるように建物の壁等に取り付けられた設備用配管配線のスリーブユニット装置が提案されている（特許文献１参照）。このスリーブユニット装置は、適宜の配列で予定されている配管径より大きな直径のスリーブ管を用いた貫通孔を壁コンクリート等に形成し、その内部に耐火材を充填して両側面を蓋した構造からなっている。これらの蓋がされた各スリーブ管は配管を貫通させる前は化粧蓋板等で覆っておかれる。そして配管時には、各スリーブ管の蓋材を取り除いて内部に配管を貫通させ、スリーブ管と配管との隙間をさらに充填耐火材で埋めるようになっている。
【０００６】
【特許文献１】特開昭６３−１９５１７７号公報。
【発明の開示】
【発明が解決しようとする課題】
【０００７】
特許文献１に開示されたスリーブユニット装置では、スリーブ孔の直径はたとえば建物に設けられる多様な設備配管に対応できるように、種々の直径のものが多数設置されるため、壁や床スラブに設けられるスリーブユニット装置自体、かなり広い範囲にわたる。このようなスリーブユニット装置では、上述したようなベランダに設けられた給湯機器等の給湯管、水道管、ガス管等を貫通させるためには無駄が多く、各貫通孔の管周囲への耐火材充填等の付加的な対策を行わなければならないという問題もある。
【０００８】
また、給湯器等の器具を取付ける際に、貫通孔内に挿通され周囲がシール処理した配管に外力が加わり、配管の位置がずれてシールが切れ、シール個所の補修を行う必要が生じる。また細い樹脂管等を利用している場合には、管破損の恐れもある。
【０００９】
ところで、特許文献１に開示された以外にも、上述したようにスリーブ管等の箱抜き部材を用いてコンクリート内に埋設して貫通孔を設けた場合、たとえばユニットバス等の追い炊き配管等のように管径が貫通孔より相当小さな配管を通す場合もあり、その場合には既製品としてのコネクタを利用することも有効である。このためには、この種のコネクタの仕様に対応できる程度の壁厚（３〜１０mm程度）の仕切壁を設ける必要がある。また、この場合、仕切壁の水切り、止水を確実に行う必要がある。
【００１０】
そこで、本発明の目的は上述した従来の技術が有する問題点を解消し、外壁コンクリートに複数本の配管を貫通させる際に、あらかじめ隔壁を挟んで連結可能なコネクタを取り付け可能な仕切板を有する壁貫通給湯配管用スリーブユニットを提供することにある。
【課題を解決するための手段】
【００１１】
上記目的を達成するために、本発明は外壁コンクリート貫通孔を形成し、複数本の外部給湯設備の配管と屋内配管とを連結する壁貫通給湯配管用スリーブユニットであって、内周に仕切フランジが形成された本体筒部と、該本体筒部に収容され、本体筒部から所定量だけ伸長させ、スリーブユニット長さを調整可能な延長内筒と、前記本体筒部内の仕切フランジに周縁が固定保持され、板面に連通孔が所定配列された仕切板と、該仕切板を挟持するように固定保持され、前記外壁コンクリートの内外から導かれた配管を接続させるコネクタ部材とからなることを特徴とする。
【００１２】
前記本体筒部は、円筒管形状あるいは角形管形状をなし、該本体筒部内の所定範囲に前記延長内筒が内接するように収容され、該延長内筒を前記本体筒部から伸長させ、スリーブユニット全長が前記外壁コンクリート厚さに調整することが好ましい。
【００１３】
前記仕切板は、仕切フランジに防水部材を介して水密保持させて固定することが好ましい。
【００１４】
前記本体筒部の延長方向のほぼ中央位置の外周面に沿って水切りフランジを設けることが好ましい。
【発明の効果】
【００１５】
本発明によれば、マンション等のベランダに設置された給湯器等に連結される複数本の配管を一個所のスリーブユニットよって外壁コンクリート部分を貫通させて連結することができ、また連結時にコネクタによる接続を行うことにより、連結作業の効率化を図ることができるという効果を奏する。
【発明を実施するための最良の形態】
【００１６】
以下、本発明の壁貫通給湯配管用スリーブユニットの実施するための最良の形態として、以下の実施例について添付図面を参照して説明する。
【実施例１】
【００１７】
図１は本発明の壁貫通給湯配管用スリーブユニットが設けられた建物外壁の一部を示した斜視図である。同図には外壁コンクリート１の外面の所定位置に取り付けられた給湯器２と、給湯器２の下面部に配列された風呂給湯管３、洗面給湯管４、ガス管５、給水管６の４個の接続口に端部が連結されたそれぞれの配管３，４，５，６が、本発明の壁貫通給湯配管用スリーブユニットを貫通して建物内に導かれた状態を、外壁コンクリート１の一部を切欠いて模式的に示した部分斜視図である。
【００１８】
壁貫通給湯配管用スリーブユニット１０の構成について、図２（ａ）及び図３を参照して説明する。図２（ａ）は、外壁コンクリート１内に埋設された壁貫通給湯配管用スリーブユニット１０の断面図、図３は、分解状態の斜視図である。
壁貫通給湯配管用スリーブユニット１０（以下、単にスリーブユニット１０と記す。）は、本実施例では、内径φ１９６mm、長さ約１４０mmのステンレス製円筒管からなる本体筒部１１と、この本体筒部１１内にそのほぼ全長が内接するようにして収容され、全長が本体筒部１１の約１／２の長さの延長内筒１２と、本体筒部１１内の長手方向のほぼ中央位置の内周面には仕切フランジ１３が形成されている。この仕切フランジ１３は、二重管構造の本体筒部１１の内側管の両端を折り曲げ加工して形成された円環状のフランジで、後述するコネクタ２０を保持する円形仕切板１９が固定保持されるようになっている。
【００１９】
一方、本体筒部１１の長手方向のほぼ中央位置の外周面には水切りフランジ１５が形成されている。この水切りフランジ１５は断面形がＬ字形をなすステンレス板をリング状にして本体筒部１１の外周面にネジ止めにより取り付けられ、フランジに沿ってシーリング処理１６がなされている。この水切りフランジ１５の配置により、図２に示したように、本体筒部１１および延長内筒１２によって規定された外壁コンクリート１の厚さ方向の中間位置に鍔状の水切り部が形成される。これによりコンクリートとスリーブユニット１０外周面との間に生じた隙間を伝わって雨水等の建物内への浸入が防止される。
【００２０】
また、本体筒部１１内に収容されている延長内筒１２は、図２両図に示したように、外壁コンクリート１の厚さに合わせて、本体筒部１１との重なり状態を調整してスリーブユニット１０の全長を調整するための調整しろとして機能することができるようになっている。その調整しろは、延長内筒１２の所定個所に延長方向に開口した長孔１２ａと、この長孔１２ａに挿通され、さらに長孔１２ａと相対する位置に設けられた本体筒部１１の孔１１ａに挿通される止めネジ１７を蝶ナット１８で締め付けることにより、本体筒部１１に固定できるようになっている。
【００２１】
以下、円形仕切板１９及び円形仕切板１９に固定保持されるコネクタ２０の構成について図２各図、図３を参照して説明する。
【００２２】
円形仕切板１９は、本実施例では直径がφ１８５mm、厚さ１．５mmのステンレス板が使用されており、孔中心間が８０mm間隔となるように縦横配置された連通孔１９ａ（φ４３mm）が４個形成されている。
【００２３】
さらに、円形仕切板１９の連通孔１９ａには両側から挟持されるようにして樹脂成形品である既製品のコネクタ２０が固定保持される。このコネクタ２０は、あらかじめスリーブユニット１０の両側から延設された配管（ホース）端部にそれぞれのコネクタ２０が装着されており、円形仕切板１９を挟んでねじ止めナット２１を有する一方のコネクタ２０Ａ（給湯器側配管）を円形仕切板１９に固定しておき、そのコネクタ２０Ａに他方のコネクタ２０Ｂ（室内側配管）を連結させ、ワンタッチで配管接続を行うことができる。これにより外壁コンクリート１に埋設されたスリーブユニット１０の円形仕切板１９に取り付けられたコネクタ２０を介して、給湯器２側から導かれた複数本の配管を容易に室内側の配管と連結することができる。
【００２４】
この円形仕切板１９の部位における雨水浸入防止のための対策として、円形仕切板１９を本体筒部１１の仕切フランジ１３にネジ止めする際、隙間にリング状の合成ゴムパッキン２２を介装させることが好ましい。
【００２５】
このスリーブユニット１０は、コネクタ２０を除いた各部材を、たとえばスリーブユニット全長が外壁コンクリート１の壁厚に等しくなるようにあらかじめ組み立ておき、そのスリーブユニット１０自体をコンクリート打設時の箱抜き部材として用いるため、外壁コンクリート１の型枠内の所定位置の内面にスリーブユニット１０の両端面のフランジが密着するように仮固定することが好ましい。そしてコンクリート打設を行い、所定の養生期間経過後に、型枠を脱型すると、スリーブユニット１０の端面がコンクリートの内外面に露出する。その後、給湯器側配管が接続されたコネクタ２０Ａおよび室内側配管が接続されたコネクタ２０Ｂとを、円形仕切板１９を境に接続することで、給湯設備に必要な配管を給湯器側と室内側とで連結させることができる。なお、スリーブユニット１０の直径は、対応する配管数等により適宜設計されるが、比較的大径になる場合には、スリーブユニット１０設置位置の周辺に開口補強筋を配筋することが好ましい。
【００２６】
図４は、変形例として外形が角筒状をなす角形管タイプのスリーブユニット１０の構成を分解して示した分解斜視図である。コネクタ２０（図２，図３）は簡単化のため図示していない。同図に示したように、このスリーブユニット１０においても本体筒部１１の一方から角筒状の延長内筒１２が挿入され、この延長内筒１２を所定の長さに調整して外壁コンクリート厚と等しいスリーブユニット１０としてコンクリート内に埋設するようになっている。この箱形形状をなすスリーブユニット１０は各面がフラットなため、型枠内での固定が容易である。また、本変形例では庇２３が設けられているが、この庇２３はスリーブユニットの設置位置に応じたオプションである。
【００２７】
図５は、スリーブユニット１０の仕切板に形成される連通孔の配置、個数を変更した変形例を示している。同図に示したように、給湯器の仕様による配管数に応じて上述したコネクタ２０（図２，図３）の配置、連通孔１９の個数を適宜設定することができる。
【図面の簡単な説明】
【００２８】
【図１】本発明の壁貫通給湯配管用スリーブユニットの一実施例を利用した給湯器及び配管設備の一部を示した部分斜視図。
【図２】図１に示した壁貫通給湯配管用スリーブユニットが外壁コンクリート内に設置された状態を示した断面図。
【図３】壁貫通給湯配管用スリーブユニットを組み合わせた例を示した正面図。
【図４】壁貫通給湯配管用スリーブユニットの他の実施例を示した斜視図。
【図５】図４に示した壁貫通給湯配管用スリーブユニットの正面図。
【符号の説明】
【００２９】
１  外壁コンクリート
２  給湯器
１０  スリーブユニット（壁貫通給湯配管用スリーブユニット）
１１  本体筒部
１２  延長内筒
１３  仕切フランジ
１５  水切りフランジ
１９  仕切板
１９ａ  連通孔
２０  コネクタ
２０Ａ  給湯器側コネクタ
２０Ｂ  屋内側コネクタ
【図１】
0004785591.tif 000002
【図２】
0004785591.tif 000003
【図３】
0004785591.tif 000004
【図４】
0004785591.tif 000005
【図５】
0004785591.tif 000006